(57)【要約】【課題】本発明は、汎用型コンバインにおいて、刈り取った作物の一部がリール式掻き込み装置の支持アームに絡み付くのを防いで、収穫作業を長く継続出来るようにすることを課題とする。【解決手段】植立作物を水平に刈る横刈刃装置（１６）と、該横刈刃装置（１６）の上方位置で植立作物を掻き込む掻込みリール（１８）と、前記横刈刃装置（１６）の後側で左右の支持枠（１５）の間に軸架されて刈取作物を搬送する掻込みオーガ（２０）を刈取前処理装置（１３）に備え、前記横刈刃装置（１６）の刈取作用域における横側端部位置に、植立作物を垂直方向に分断する縦刈刃装置（５）を設けた汎用コンバインの刈取装置において、前記掻込みリール（１８）を支持するリール支持アーム（１９）から前記支持枠（１５）の内側にわたる板状の遮蔽体（３６）を設ける。【選択図】図２
2013009654.tif 000002
【特許請求の範囲】
【請求項１】
植立作物を水平に刈る横刈刃装置（１６）と、該横刈刃装置（１６）の上方位置で植立作物を掻き込む掻込みリール（１８）と、前記横刈刃装置（１６）の後側で左右の支持枠（１５）の間に軸架されて刈取作物を搬送する掻込みオーガ（２０）を刈取前処理装置（１３）に備え、前記横刈刃装置（１６）の刈取作用域における横側端部位置に、植立作物を垂直方向に分断する縦刈刃装置（５）を設けた汎用コンバインの刈取装置において、前記掻込みリール（１８）を支持するリール支持アーム（１９）から前記支持枠（１５）の内側にわたる板状の遮蔽体（３６）を設けたことを特徴とする汎用コンバインの刈取装置。
【請求項２】
前記遮蔽体（３６）を可撓性のシートとした請求項１に記載の汎用コンバインの刈取装置。
【請求項３】
前記縦刈刃装置（５）を、支持枠（１５）の内側に立設する固定刃（１）とこの固定刃（１）の外側に臨んで上下に往復摺動する可動縦刈刃（２）で構成した請求項１または請求項２に記載の汎用コンバインの刈取装置。
【請求項４】
前記横刈刃装置（１６）を構成する可動主刈刃（４）と前記可動縦刈刃（２）を刈刃駆動ケース（７）から分岐して駆動する構成とした請求項１または請求項２または請求項３に記載の汎用コンバインの刈取装置。
【請求項５】
前記掻込みオーガ（２０）を左右の支持枠（１５）間に軸架するオーガ主軸（４６）から、前記刈刃駆動ケース（７）へ駆動力を入力する構成としたことを特徴とする請求項４に記載の汎用コンバインの刈取装置。
【発明の詳細な説明】
【技術分野】
【０００１】
本発明は、菜種などのように条列をなさずに植付けられ絡み付きの強い作物を能率よく円滑に収穫できる汎用コンバインに関する。
【背景技術】
【０００２】
汎用コンバインの刈取装置として、水平方向に植立作物を刈る横刈刃装置と、この横刈刃装置の上方位置で掻き込み用のラグを回動させて植立作物を掻き込むリール式掻き込み装置を備え、前記横刈刃装置の刈取作用域における横側端部位置に、垂直方向に植立作物を分断する縦刈刃装置を設けたものが、特許文献１に記載されている。
【先行技術文献】
【特許文献】
【０００３】
【特許文献１】特開２０１０−１０４３２９号公報
【発明の概要】
【発明が解決しようとする課題】
【０００４】
前記の特開２０１０−１０４３２９号公報に記載の汎用コンバインは、リール式掻き込み装置で作物を掻き込みながら横刈刃装置で作物を水平に刈り、縦刈刃装置で植立した作物を縦に既刈側と未刈側に分断するが、分断した既刈側の作物がリール式掻き込み装置の支持アームに絡み付き堆積して長く刈取作業を継続出来ない。
【０００５】
そこで、本発明は、汎用コンバインにおいて、刈り取った作物の一部がリール式掻き込み装置の支持アームに絡み付くのを防いで、収穫作業を長く継続出来るようにすることを課題とする。
【課題を解決するための手段】
【０００６】
上記本発明の課題は、次の技術手段により解決される。
請求項１に記載の発明は、植立作物を水平に刈る横刈刃装置（１６）と、該横刈刃装置（１６）の上方位置で植立作物を掻き込む掻込みリール（１８）と、前記横刈刃装置（１６）の後側で左右の支持枠（１５）の間に軸架されて刈取作物を搬送する掻込みオーガ（２０）を刈取前処理装置（１３）に備え、前記横刈刃装置（１６）の刈取作用域における横側端部位置に、植立作物を垂直方向に分断する縦刈刃装置（５）を設けた汎用コンバインの刈取装置において、前記掻込みリール（１８）を支持するリール支持アーム（１９）から前記支持枠（１５）の内側にわたる板状の遮蔽体（３６）を設けたことを特徴とする汎用コンバインの刈取装置とする。
【０００７】
請求項２に記載の発明は、前記遮蔽体（３６）を可撓性のシートとした請求項１に記載の汎用コンバインの刈取装置とする。
請求項３に記載の発明は、前記縦刈刃装置（５）を、支持枠（１５）の内側に立設する固定刃（１）とこの固定刃（１）の外側に臨んで上下に往復摺動する可動縦刈刃（２）で構成した請求項１または請求項２に記載の汎用コンバインの刈取装置とする。
【０００８】
請求項４に記載の発明は、前記横刈刃装置（１６）を構成する可動主刈刃（４）と前記可動縦刈刃（２）を刈刃駆動ケース（７）から分岐して駆動する構成とした請求項１または請求項２または請求項３に記載の汎用コンバインの刈取装置とする。
【０００９】
請求項５に記載の発明は、前記掻込みオーガ（２０）を左右の支持枠（１５）間に軸架するオーガ主軸（４６）から、前記刈刃駆動ケース（７）へ駆動力を入力する構成としたことを特徴とする請求項４に記載の汎用コンバインの刈取装置とする。
【発明の効果】
【００１０】
請求項１記載の発明によれば、リール支持アーム１９と支持枠（１５）の間に形成される開放部が遮蔽体（３６）で塞がれて、縦刈刃装置（５）で分断した作物がリール支持アーム（１９）に絡み付くのを防止することができ、刈取前処理装置（１３）側方から、この刈取前処理装置（１３）に進入することを防止することができる。
【００１１】
請求項２記載の発明によれば、上記請求項１記載の発明による効果に加え、遮蔽体（３６）と支持枠（１５）の間に隙間が生じにくく、横刈刃装置（１６）によって刈り取られた作物が刈取前処理装置（１３）の外部へ飛散することを防止できる。
【００１２】
請求項３記載の発明によれば、上記請求項１または請求項２記載の発明による効果に加え、可動縦刈刃（２）を固定刃（１）の外側に臨ませることで、上下に往復摺動する可動縦刈刃（２）で、コンバインの機体外側方である未刈地側から横刈刃装置（１６）の刈取対象穀稈に絡み付く穀稈を効率的に切断することができ、縦刈刃装置（５）の駆動負荷を軽減できる。
【００１３】
請求項４記載の発明によれば、上記請求項１または請求項２または請求項３記載の発明による効果に加え、縦刈刃装置（５）及び横刈刃装置（１６）の駆動機構を簡素化して、故障の発生を抑制できる。
【００１４】
請求項５記載の発明によれば、上記請求項４記載の発明による効果に加え、刈刃駆動ケース（７）の近傍に位置するオーガ主軸（４６）からこの刈刃駆動ケース（７）に伝動することで、縦刈刃装置（５）及び横刈刃装置（１６）への駆動力の伝達ロスを低減し、縦刈刃装置（５）及び横刈刃装置（１６）を確実に駆動することができる。
【図面の簡単な説明】
【００１５】
【図１】汎用コンバインの全体側面図である。
【図２】刈取前処理装置の側面図である。
【図３】横刈刃装置と縦刈刃装置の駆動部の斜視図である。
【図４】横刈刃装置の拡大側断面図である。
【図５】横刈刃装置と縦刈刃装置の駆動力伝動線図である。
【図６】横刈刃装置と縦刈刃装置の別実施例駆動力伝動線図である。
【図７】横刈刃装置と縦刈刃装置の別実施例駆動力伝動線図である。
【図８】汎用コンバインの全体正面図である。
【発明を実施するための形態】
【００１６】
以下、本発明の実施形態を図面に示す実施例を参照しながら説明する。
汎用コンバインは、図１に示すように、左右に一対のクロ−ラ１１，１１を装備した車体１２上に穀稈供給口を前側にして脱穀装置８０を搭載し、その前方に刈取前処理装置１３を設けて、一連の刈取脱穀作業ができる構成としている。そして、脱穀装置８０は、刈り取った穀稈の全部を扱室に投入する全稈投入式の構成であって、上側に扱室を、下側に選別室をそれぞれ配置した汎用コンバイン用脱穀装置に構成されている。
【００１７】
刈取前処理装置１３は、図面に示すように、取付けのベースとなるテーブル１４を低位置に横向きに配置し、その左右両端に、上方に立ち上がった支持枠１５，１５を設け、該支持枠１５，１５と前記テーブル１４とに横刈刃装置１６と掻込みリール１８を取り付けて支持した構成となっている。
【００１８】
横刈刃装置１６は、前記支持枠１５，１５の前部両側から前方に向けて延長して設けた分草杆１７，１７の間において、前記テーブル１４の前縁に沿わせて設けた構成としている。そして、掻込みリール１８は、前記左右両側の支持枠１５，１５の後部上側に、基部を上下自在に枢着して取付けたリール支持アーム１９，１９を油圧シリンダ１０によって昇降自由に支持し、このリール支持アーム１９，１９を前方側に延長して先端部分に軸架して設けた構成としている。
【００１９】
図２及び図８に示すように、左側のリール支持アーム１９の下部又はリール支持アーム１９の内側から前記左側の支持枠１５内側にかけてゴム板や帆布或いは塩化ビニールシート等の可撓性板状体で構成した遮蔽体３６を吊り下げている。この遮蔽体３６によって、後述する縦刈刃装置５で既刈側に縦分断された作物が未刈側に飛び出すのを防ぎ、また、刈取った作物がリール支持アーム１９に絡み付くのを防ぎ、異物が掻込みリール１８側に侵入するのを防いでいる。
【００２０】
掻込みオーガ２０は、前記横刈刃装置１６の刈幅と同等の長さに形成して横向きに設け、その両端を左右の支持枠１５，１５に横軸で軸受支持し、フィーダーケースの取り込み口に向けて搬送作用するラセンと左右適宜間隔で設ける掻込フィンガを有し、掻込フィンガが横刈刃装置１６の先端よりも前に突き出して穀稈を引き込み、回転に伴って刈取穀稈をラセンと掻込フィンガで掻き込みながら機体の右側に集める構成としている。
【００２１】
掻込みオーガ２０によって穀稈を集める位置に穀稈を脱穀装置８０へ搬送するフィーダー２１を設けて、このフィーダー２１の搬送始端部を掻込みオーガ２０の背後に臨ませて、搬送終端部を前記脱穀装置８０の穀稈供給口に連通させて設け、前記掻込みオーガ２０が集めた刈取穀稈を脱穀装置８０の供給口まで搬送して供給する構成としている。
【００２２】
左側支持枠１５の外側に縦刈刃装置５を立ち上げて左側支持枠１５から延ばす縦刈刃支持アーム６で支持している。この縦刈刃装置５は横刈刃装置１６よりも前側で分草杆１７の真後或いは若干内側上方に立設し、絡み合って植立する作物を縦に分断して掻込みリール１８による取り込みを行い易くすると共に、クロ−ラ１１によって未刈作物を踏み付けることが無い。
【００２３】
図３と図４に示す如く、横刈刃装置１６は、フィンガ３と可動主刈刃４で構成し、刈刃駆動ケース７の出力軸２６に固着のＬ型駆動アーム８の主駆動側アーム８ａと可動主刈刃４を連結して往復揺動する。
【００２４】
また、縦刈刃装置５は、前後に位置調整可能で、固定刃１と可動縦刈刃２で構成し、前記刈刃駆動ケース７の出力軸２６に固着のＬ型駆動アーム８の縦駆動側アーム８ｂと調整ロッド２３と縦駆動アーム９とリンク２２で可動縦刈刃２に連結して可動縦刈刃２を往復揺動する。可動縦刈刃２が固定刃１より機体外側に位置し、可動縦刈刃２の刃先は固定刃１の刃先よりも前側にして固定刃１に作物が絡まないようにしている。
【００２５】
刈刃駆動ケース７は、入力軸２７に固着の入力プーリ２４にベルト２５で回転駆動力を入力し、内部で正逆回転に変換して出力軸２６に出力する。
図５は、刈取前処理装置１３の駆動力伝動線図で、エンジンの出力軸から変速された回転駆動力がエレベータ駆動軸２８の一端に固着の駆動プーリ２９に入力し、フィーダー２１のエレベータチェン３０を駆動する。そして、エレベータ駆動軸２８の他端に固着のスプロケット３８から中継軸３２に固着のスプロケット３９にチェン３１で回転駆動力を伝動する。
【００２６】
中継軸３２の中継プーリ４０から掻込みオーガ２０のオーガプーリ４１にオーガ駆動ベルト３３で回転駆動力を伝動し、掻込みリール１８にチェン３４，３５で回転駆動力を伝動し、出力プーリ３７から前記刈刃駆動ケース７の入力軸２７に固着の入力プーリ２４にベルト２５で回転駆動力を伝動する。
【００２７】
図６は、可動縦刈刃２と可動主刈刃４の駆動別実施例で、掻込みオーガ２０を駆動するオーガスプロケット４１を固着したオーガ主軸４６に固着のオーガプーリ４５から可動縦刈刃２の縦駆動ケース４８の入力軸に固着の縦駆動プーリ４７に動力伝動し、縦駆動ケース４８内で可動縦刈刃２を往復運動するようにして可動縦刈刃２を駆動するようにしている。縦駆動プーリ４７は、テンションクラッチの入・切で伝動の断続を行えるようにすることも出来る。
【００２８】
縦駆動プーリ４７の駆動は、エレベータ駆動軸２８に固着のエレベータプーリ（図示省略）から行うようにすることも出来る。
可動主刈刃４の横駆動ケース５０の横入力軸４９に固着の入力プーリ２４に中継軸３２の出力プーリ３７から動力伝動し、横駆動ケース５０内で可動主刈刃４を往復運動するようにして可動主刈刃４を駆動するようにしている。
【００２９】
オーガプーリ４５或いはエレベータプーリの回転は、出力プーリ３７の回転よりも低速で、可動縦刈刃２が可動主刈刃４よりも低速で駆動される。
さらに、別実施例として示す図７において、刈刃駆動ケース７の入力軸２７に入力プーリ２４に並設する縦刈刃駆動プーリ４２から縦駆動ケース４８の縦駆動プーリ４７にベルト伝動し、テンションクラッチ５１の入・切で伝動の断続を行えるようにする。
【００３０】
縦駆動プーリ４７は大径として可動縦刈刃２が可動主刈刃４よりも低速で駆動されるようにする。縦駆動プーリ４７にはバランスウエイトを設けて、クランク運動による振動を抑えている。
【００３１】
なお、縦駆動プーリ４７は、掻込みリール１８のリール主軸４４に固着したリールプーリ（図示省略）からベルトでテンションクラッチの入・切で伝動の断続を行えるようにすることも出来る。
【符号の説明】
【００３２】
１  固定刃
２  可動縦刈刃
４  可動主刈刃
５  縦刈刃装置
７  刈刃駆動ケース
１３  刈取前処理装置
１５  支持枠
１６  横刈刃装置
１８  掻込みリール
１９  リール支持アーム
２０  掻込みオーガ
２６  出力軸
２７  入力軸
３６  遮蔽体
４６  オーガ主軸
【図１】
2013009654.tif 000003
【図２】
2013009654.tif 000004
【図３】
2013009654.tif 000005
【図４】
2013009654.tif 000006
【図５】
2013009654.tif 000007
【図６】
2013009654.tif 000008
【図７】
2013009654.tif 000009
【図８】
2013009654.tif 000010